(57)【要約】【課題】ブックカバーなどの折線加工がされた用紙を印刷すること。【解決手段】折線加工された用紙を印刷する際に、折線部分を平らにする旨を警告する警告工程（ステップＳ５０３）と、警告工程による警告後に、印刷を開始する印刷工程と、を含む。さらに、警告工程（図５のステップＳ５０３）による警告に対する確認指示を受け付ける受付工程（図５のステップＳ５０４，Ｓ５０６）を含み、印刷工程は、前記受付工程による確認指示を受け付けた後でなければ印刷を開始しない。【選択図】        図５
2006224489.tif 000002
【特許請求の範囲】
【請求項１】
折線加工された用紙を印刷する際に、
前記折線部分を平らにする旨を警告する警告工程と、
前記警告工程による警告後に、印刷を開始する印刷工程と、
を含んだことを特徴とする印刷方法。
【請求項２】
前記警告工程による警告に対する確認指示を受け付ける受付工程を含み、
前記印刷工程は、前記受付工程による確認指示を受け付けた後に印刷を開始することを
特徴とする請求項１に記載の印刷方法。
【請求項３】
前記折線加工された用紙は、印刷物のカバーであることを特徴とする請求項１または２
に記載の印刷方法。
【請求項４】
請求項１〜３のいずれか一つに記載の印刷方法をコンピュータに実行させることを特徴
とする印刷プログラム。
【発明の詳細な説明】
【技術分野】
【０００１】
本発明は、折線加工された用紙を印刷する印刷方法および印刷プログラムに関する。
【背景技術】
【０００２】
近年、印刷の多様化や印刷画質の向上などによって、オリジナルのブックカバーを製作
したいとの要望がある。通常、ブックカバーは、本などの印刷物を覆うため、強い耐久性
が要求され、そのため、その紙質は厚めでかつ折り曲げに対する反発力が強い、いわゆる
こしのあるものが好ましい。したがって、ブックカバー用の用紙は、印刷物の大きさや形
状に合わせてあらかじめ折曲加工を施すことで、簡易にかつ見た目にも美しく印刷物に装
着することができる。
【０００３】
従来、プリンタは、副走査方向へ紙送りをしながら主走査方向にヘッドを移動させて印
刷するため、紙送り機構を備えているのが一般的である。紙送り機構は通常、複数のロー
ラなどの回転によって紙を副走査方向へ送り出すため、印刷の対象となる用紙は平らでか
つ折り目などがないものが望ましい。したがって、ブックカバーなどのあらかじめ折線加
工された用紙に印刷することは想定していなかった。
【発明の開示】
【発明が解決しようとする課題】
【０００４】
しかしながら、上記のようなオリジナルのブックカバーを上記従来のプリンタで印刷す
る際に、折線部分をそのままにして印刷を開始すると、用紙と折れ曲がった部分ヘッドと
の距離が近くなるため、用紙がいわゆるヘッド擦れを起こしてしまい、画像品質の低下を
招いてしまうという問題点があった。
【０００５】
さらに、用紙の折れ曲がった部分の折れ曲がり具合いによっては、主走査方向に移動す
るヘッドが用紙に衝突してしまうおそれがある。衝突によって用紙が破損するだけでなく
、上述の通り、当該用紙は厚めの紙質を用いており、強度も強いので、衝突したヘッド自
体が破損するおそれもあった。
【０００６】
この発明は、上記問題点を解決するためになされたものであり、折線加工がされた用紙
を印刷する印刷方法および印刷プログラムを提供することを目的とする。
【課題を解決するための手段】
【０００７】
上記の課題を解決するために、この発明にかかる印刷方法は、折線加工された用紙を印
刷する際に、前記折線部分を平らにする旨を警告する警告工程と、前記警告工程による警
告後に、印刷を開始する印刷工程と、を含んだことを特徴とする。
【０００８】
この発明によれば、折れ線加工された用紙が印刷される際に、折線部分が折れ曲がった
状態で紙送りされることを未然に防止することができる。
【０００９】
また、この発明にかかる印刷方法は、上記発明において、前記警告工程による警告に対
する確認指示を受け付ける受付工程を含み、前記印刷工程が、前記受付工程による確認指
示を受け付けた後に印刷を開始することを特徴とする。
【００１０】
この発明によれば、折れ線加工された用紙が印刷される際に、折線部分が折れ曲がった
状態で紙送りされることをより確実に防止することができる。
【００１１】
また、この発明にかかる印刷方法は、上記発明において、前記折線加工された用紙が、
印刷物のカバーであることを特徴とする。
【００１２】
この発明によれば、一般のプリンタを用いて、印刷物のカバーの印刷をおこなうことが
できる。
【００１３】
また、この発明にかかる印刷プログラムは、上記に記載の印刷方法をコンピュータに実
行させることを特徴とする。
【発明を実施するための最良の形態】
【００１４】
以下に添付図面を参照して、この発明にかかる印刷方法および印刷プログラムの好適な
実施の形態を詳細に説明する。
【００１５】
（折線加工された用紙の内容）
図１および図２は、この発明の実施の形態にかかる折線加工された用紙の内容を示す説
明図である。図１において、折線加工された用紙（以下単に「用紙」という）１００は、
左カバー見返し１０１、左表紙１０２、背表紙１０３、右表紙１０４および右カバー見返
し１０５からなる。そして、左カバー見返し１０１と左表紙１０２との境界Ａ、左表紙１
０２と背表紙１０３の境界Ｂ、背表紙１０３と右表紙１０４の境界Ｃ、右表紙１０４と右
カバー見返し１０５との境界Ｄには、あらかじめ折線加工が施されている。
【００１６】
図１は、上記境界Ａ〜Ｄを平らに伸ばした状態を示しており、一方図２は、上記境界Ａ
〜Ｄを折線加工に基づき、用紙１００が折れ曲がった状態を示している。上記境界Ａ〜Ｄ
に折線加工を施すのは、以下の理由である。すなわち、ブックカバーなどは厚めの紙を用
いることが一般的であり、あらかじめ折線加工が施されている方が、容易かつ見た目にも
美しく本体（本などの印刷物）に装着することができるからである。
【００１７】
（ハードウエア構成）
図３は、この発明の実施の形態にかかる印刷方法を実現するハードウエア構成の一例を
示す説明図である。図３において、３００はパーソナルコンピュータなどの情報処理装置
であり、３５０は、情報処理装置３００に接続されるプリンタである。
【００１８】
情報処理装置３００は、ＣＰＵ３０１と、ＲＯＭ３０２と、ＲＡＭ３０３と、メモリ３
０４と、インタフェース（Ｉ／Ｆ）３０５と、ディスプレイ３０６と、を含む構成となっ
ている。これらの構成部３０１〜３０６は、それぞれバス３１０によって接続される。プ
リンタ３５０も、たとえばＵＳＢなどによってバス３１０を介して上記構成部３０１〜３
０６と接続される。
【００１９】
ここで、ＣＰＵ３０１は、ＲＯＭ３０２、ＲＡＭ３０３、メモリ３０４などに記憶され
たプログラムを実行することによって、プリンタ３５０の印刷制御をするとともに、警告
情報の出力（表示）制御等を含む情報処理装置３００全体を制御する。ＲＯＭ３０２は、
情報処理装置３００の基本処理プログラムを記憶している。ＲＡＭ３０３は、ＣＰＵ３０
１のワークエリアとして使用される。メモリ３０４は、各種情報を記憶する。具体的には
、たとえば、ハードディスク（ＨＤ）であり、そのかわりにあるいはＨＤに加えて、ＤＶ
Ｄ、コンパクトディスク（ＣＤ）などの着脱可能な記録媒体であってもよい。
【００２０】
また、Ｉ／Ｆ３０５は、ネットワークを介して他の情報処理装置とのデータの送受信を
司る。また、ネットワークを介して他のプリンタに接続されるようになっていてもよい。
ディスプレイ３０６は、文字、画像などを表示する。ディスプレイ３０６は、具体的には
、たとえばＣＲＴ、液晶ディスプレイ、プラズマディスプレイなどである。
【００２１】
また、プリンタ３５０は、各種プリンタを含むが、特に、インクジェットプリンタ、イ
ンパクトプリンタなど、ヘッドを主走査方向に移動させる構造のいわゆるシリアルプリン
タにおいて有効である。また、プリンタ３５０は、たとえばＵＳＢ（Ｕｎｉｖｅｒｓａｌ
Ｓｅｒｉａｌ  Ｂｕｓ）などのインタフェースの規格を用いて情報処理装置３００と接
続することができる。
【００２２】
（処理の手順）
図４は、この発明の実施の形態にかかる印刷方法の処理の手順を示すフローチャートで
ある。図４のフローチャートにおいて、まず、ユーザからの印刷指示があったか否かを判
断する（ステップＳ４０１）。ここで、印刷指示があるのを待って、あった場合（ステッ
プＳ４０１：Ｙｅｓ）は、用紙セット処理をおこなう（ステップＳ４０２）。具体的には
、用紙がセットされているか否かを判断し、用紙がセットされていない場合は、表示画面
に用紙セットを促すメッセージ（たとえば『用紙をセットしてください』など）を表示す
る。
【００２３】
用紙がセットされた場合は、つぎに、印刷モード設定処理をおこなう（ステップＳ４０
３）。印刷モード設定処理の内容は、図６において後述する。印刷モード設定処理が終わ
ると、つぎに、印刷処理をおこない（ステップＳ４０４）、一連の処理を終了する。
【００２４】
図５は、印刷モード設定処理の手順を示すフローチャートである。図５のフローチャー
トにおいて、印刷モード選択指示があったか否かを判断する（ステップＳ５０１）。ここ
で、印刷モード選択指示があるのを待って、あった場合（ステップＳ５０１：Ｙｅｓ）は
、つぎに、印刷モード選択のうち、折線加工用紙が選択されたか否かを判断する（ステッ
プＳ５０２）。ここで、折線加工用紙が選択されなかった場合、すなわち、通常の用紙な
どが選択された場合（ステップＳ５０２：Ｎｏ）は、何もせずに、図４に示したステップ
Ｓ４０４へ移行する。
【００２５】
ステップＳ５０２において、折線加工用紙が選択された場合（ステップＳ５０２：Ｙｅ
ｓ）は、警告表示をおこなう（ステップＳ５０３）。ここで、警告表示は、具体的には、
たとえば図６に示すメッセージダイアログ６００を表示画面に表示することによっておこ
なうことができる。
【００２６】
ここで、図６は、警告表示の一例を示す説明図である。図６において、メッセージダイ
アログには、たとえば『プリンタにセットされている用紙の折れ目が平らに伸ばされてい
ることを確認してください。伸ばされていない場合は、一旦プリンタから用紙を抜き取り
、平らに伸ばしてから再セットしてください。』という内容の警告文を表示するとともに
、『確認』ボタン６０１と『キャンセル』ボタン６０２をあわせて表示する。
【００２７】
警告文は一例であって、用紙１００の折線部分を平らにする旨を警告する内容であれば
、いかなるもの（たとえば、イラストやアニメーションを用いたもの）であってもよい。
また、警告文の表示にかえて、あるいは警告文の表示とともに、所定の警告音や音声メッ
セージを出力するようにしてもよい。
【００２８】
図５に戻って、ステップＳ５０４において、ボタン、すなわち『確認』ボタン６０１あ
るいは『キャンセル』ボタン６０２が押下されたか否かを判断する（ステップＳ５０４）
。そしていずれかのボタンが押下されるのを待って、押下された場合（ステップＳ５０４
：Ｙｅｓ）は、警告表示、すなわちメッセージダイアログ６００の表示を消去する（ステ
ップ５０５）。言い換えると、いずれかのボタンが押下されるまでは、メッセージダイア
ログ６００は消去せずに表示し続ける状態となる。これによって、ユーザに対して確実に
用紙セットの確認を促すことができる。
【００２９】
そして、『確認』ボタン６０１と『キャンセル』ボタン６０２のいずれのボタンが押下
されたかを判断する（ステップ５０６）。ここで、『確認』ボタン６０１が押下された場
合（ステップＳ５０６：確認）には、用紙１００は適切にセットされていると判断するこ
とができるので、図４のステップＳ４０４へ移行し、印刷処理を実行する。
【００３０】
一方、『キャンセル』ボタン６０２が押下された場合（ステップＳ５０６：キャンセル
）には、印刷のキャンセルであると判断し、印刷処理（図４のステップＳ４０４）を実行
することなく、一連の処理を終了する。
【００３１】
以上説明したように、この発明の本実施の形態によれば、折線加工された用紙を印刷す
る際に、折線部分を平らにする旨を警告する警告工程（図５のステップＳ５０３）と、警
告工程による警告後に、印刷を開始する印刷工程（図４のステップＳ４０４）と、を含む
ので、印刷を開始する前に、用紙が適切にセットされているかどうかの確認を促すことが
できる。これにより、折れ線加工された用紙が印刷される際に、折線部分が折れ曲がった
状態で紙送りされることを未然に防止することができる。
【００３２】
したがって、折線加工がされた用紙に確実に所望の画像を印刷することができる。また
、折れ曲がった用紙によって、ヘッド擦れによる印刷品質が低下してしまうこと、さらに
はヘッド自体を損傷してしまうことを未然に防止することができる。
【００３３】
また、警告工程（図５のステップＳ５０３）による警告に対する確認指示を受け付ける
受付工程（図５のステップＳ５０４，Ｓ５０６）を含み、印刷工程は、前記受付工程によ
る確認指示を受け付けた後でなければ印刷を開始しないので、折線加工された用紙が印刷
される際に、折線部分が折れ曲がった状態で紙送りされることをより確実に防止すること
ができる。これらの折線加工がされた用紙としては、厚めの用紙でできているブックカバ
ーなどの印刷物のカバーに適している。
【００３４】
また、本願発明の印刷方法および印刷プログラムは、プリンタで印刷した写真画像など
を編集・製本してオリジナルのアルバムなどを作成する製本キッドにおいて、その製本さ
れたアルバムを包むために当該製本キッドに同包されるブックカバーの印刷にも適してい
る。
【００３５】
なお、本実施の形態における印刷方法は、あらかじめ用意されたコンピュータ読み取り
可能なプログラムであってもよく、またそのプログラムをサーバーを含むパーソナルコン
ピュータやワークステーションなどのコンピュータで実行することによって実現される。
このプログラムは、ＨＤ、ＦＤ、ＣＤ−ＲＯＭ、ＭＯ、ＤＶＤなどのコンピュータで読み
取り可能な記録媒体に記録され、コンピュータによって記録媒体から読み出されることに
よって実行される。また、このプログラムは、インターネットなどのネットワークを介し
て配布することが可能な伝送媒体であってもよい。
【図面の簡単な説明】
【００３６】
【図１】実施の形態にかかる折線加工された用紙の内容を示す説明図。
【図２】実施の形態にかかる折線加工された用紙の内容を示す説明図。
【図３】実施の形態の印刷方法を実現するハードウエア構成の一例を示す説明図。
【図４】実施の形態の印刷方法の処理の手順を示すフローチャート。
【図５】印刷モード設定処理の手順を示すフローチャート。
【図６】警告表示の一例を示す説明図。
【符号の説明】
【００３７】
１００  折線加工された用紙、３００  情報処理装置、３５０  プリンタ、６００  メ
ッセージダイアログ（警告表示）
【図１】
2006224489.tif 000003
【図２】
2006224489.tif 000004
【図３】
2006224489.tif 000005
【図４】
2006224489.tif 000006
【図５】
2006224489.tif 000007
【図６】
2006224489.tif 000008